(57)【要約】      （修正有）【課題】携帯して電子部品に充電し、実用性及び使用の楽しみを達成するモバイル電源の玩具を提供する。【解決手段】モバイル電源の玩具は、装飾筐１１、電源モジュール１２及び無線サーバーモジュール１３を設置する。また電源モジュールは電源制御ユニット１２１、蓄電ユニット１２２及び出力ユニット１２３を設置し、且つ電源制御ユニットは、それぞれ蓄電ユニット及び出力ユニットを連結する。更に無線サーバーモジュールは電源制御ユニットを連結する。無線サーバーモジュールは第一伝送ユニット１３１及び第一転換ユニット１３２を設置し、且つ第一伝送ユニットは第一転換ユニットを連結する。更に第一転換ユニットによって電源制御ユニットを連結する。モバイル電源の玩具は装飾筐を可愛い玩具の造形に成形し、使用前は玩具を無線充電板上に設置する。第一伝送ユニットによって無線で電力を入力し、電力を蓄電ユニットに蓄電する。【選択図】図１
0003191582.tif 000002
【実用新案登録請求の範囲】
【請求項１】
モバイル電源の玩具において、少なくとも、
納置空間を備えた筐体である装飾筐と、 
上記装飾筐の納置空間に設置し、電源制御ユニット、蓄電ユニット及び出力ユニットを設置し、且つ上記電源制御ユニットはそれぞれ蓄電ユニット及び出力ユニットを連結する電源モジュールと、
上記装飾筐に設置し、上記電源制御ユニットを連結し、上記無線サーバーモジュールは第一伝送ユニット及び第一転換ユニットを設置し、且つ上記第一伝送ユニットは第一転換ユニットを連結し、第一転換ユニットによって電源制御ユニットを連結する無線サーバーモジュールを含むことを特徴とするモバイル電源の玩具。
【請求項２】
前記無線サーバーモジュールは、無線充電板を連結し、該無線充電板は板体であることを特徴とする請求項１記載のモバイル電源の玩具。
【請求項３】
前記無線充電板は、電力入力ユニット、第二転換ユニット及び第二伝送ユニットを設置し、且つ第二転換ユニットは、それぞれ電力入力ユニット及び第二伝送ユニットを連結し、第二伝送ユニットは第一伝送ユニットを連結することを特徴とする請求項２記載のモバイル電源の玩具。
【請求項４】
前記第一伝送ユニットは誘導コイルであり、第二伝送ユニットは主動コイルであることを特徴とする請求項３記載のモバイル電源の玩具。
【請求項５】
前記電源モジュールは、少なくとも一出力インターフェイスを設置し、出力インターフェイスと該出力ユニットは連接することを特徴とする請求項１、２、３または４記載のモバイル電源の玩具。
【請求項６】
前記出力インターフェイスは、USB出力インターフェイス、もしくは直流コンセント(DC Jack)であることを特徴とする請求項５記載のモバイル電源の玩具。
【請求項７】
前記装飾筐は、開口を設置し、且つ該無線サーバーモジュールは該開口に隣接し、該開口は該無線充電板を隣接することを特徴とする請求項１、２、３または４記載のモバイル電源の玩具。
【請求項８】
前記装飾筐は、発光ダイオード（LED）を設置し、該発光ダイオードは電源制御ユニットを連結することを特徴とする請求項１、２、３または４記載のモバイル電源の玩具。
【考案の詳細な説明】
【技術分野】
【０００１】
本考案は、電源供給装置に関するもので、特に電子部品に対して充電を行うと共に造型裝飾を備えた外筐のモバイル電源の玩具に係わる
【背景技術】
【０００２】
全世界の経済は益々発展し、人々の生活レベルは常に向上している。携帯式の電子製品も益々増え、それは例としてノートパソコン，タブレットパソコン，携帯電話，デジタルカメラ，撮影機等がある。それらはすべて電池を必要とする。しかし、これらの設備の電池容量は低く、設備の正常使用時間を満足させることができない。出張もしくは旅行の時、これらの設備は利用率も高くなる。そのため、携帯電話で電話する時、デジタルカメラで写真を撮る時等々、電池が足りないために、ユーザーが不便に思うことが発生する。ユーザーは各種設備ごとに一個の予備電池を持つわけにはいかない。それでは各種設備毎に購入する電池に費用がかかるだけではなく、同時に携帯を持って出かける負担もかかる。この問題を解決するため、研究を重ねて移動電源が開発され、移動設備の電源供給問題が解決され、電気容量不足に依るビジネス及び旅行などでの心配も解決された。
【考案の概要】
【考案が解決しようとする課題】
【０００３】
公知の移動電源は電源モジュールの内部に電力蓄電を補充し、携帯時に電子部品に充電しやすくする。電源モジュールに蓄電する時、出力端子と入力端子を相互に連接して電力が伝送されて蓄電する。解決しようとする問題点として、出力端子と入力端子は電力を伝送するため、その接触部位には金属材を製作するが、金属材は酸化しやすく、酸化すると、表面に一酸化層が発生し、その酸化層は絶縁性を備えるため、出力端子と入力端子の間の接触不良が発生しやすくなる。
【０００４】
更に解決する問題として、公知の移動電源の出力端子と入力端子は煩雑に着脱使用すると、相互に摩耗し、出力端子と入力端子の問に接触不良を発生させる。次に出力端子と入力端子を設置する必要から、生産コストが上昇し、市場競争力が下降する点がある。
【０００５】
考案者は長年、関連製品の製造と開発に携わった経験から、上述の欠点を改善する実用性を備えた本考案を提案する。
【課題を解決するための手段】
【０００６】
本考案は、少なくとも装飾筐、電源モジュール及び無線サーバーモジュールを設置する。また該装飾筐は納置空間を備え、該電源モジュール及び無線サーバーモジュールは装飾筐の納置空間に設置する。また該電源モジュールは電源制御ユニット、蓄電ユニット及び出力ユニットを設置し、且つ電源制御ユニットは、それぞれ蓄電ユニット及び出力ユニットを連結する。更に該無線サーバーモジュールは該電源制御ユニットを連結する。該無線サーバーモジュールは第一伝送ユニット及び第一転換ユニットを設置し、且つ第一伝送ユニットは第一転換ユニットを連結する。更に第一転換ユニットによって電源制御ユニットを連結する。本考案玩具は装飾筐を可愛い玩具の造形に成形し、使用前は玩具を無線充電板上に設置する。第一伝送ユニットによって無線で電力を入力し、電力を蓄電ユニットに蓄電することを最も主要な特徴とする。
【考案の効果】
【０００７】
本考案のモバイル電源の玩具は、携帯して電子部品に充電し、実用性及び使用の楽しみを達成するという利点がある。
【図面の簡単な説明】
【０００８】
【図１】本考案の構造ブロックダイアグラムである。
【図２】本考案の第一実施例の構造ブロックダイアグラムである。
【図３】本考案の第一実施例の構造指示図である。
【図４】本考案の第一実施例の使用状態図である。
【図５】本考案の第一実施例の別の使用状態図である。
【図６】本考案の第二実施例の構造ブロックダイアグラムである。
【図７】本考案の第二実施例の使用状態図である。
【考案を実施するための形態】
【０００９】
電子部品に充電し、且つ造型裝飾を備えた外筐を形成するモバイル電源の玩具を提供することを本考案の主な目的とする。
【００１０】
上述の問題を達成するため、本考案のモバイル電源の玩具は、少なくとも装飾筐、電源モジュール及び無線サーバーモジュールを設置する。また該装飾筐は納置空間を備え、該電源モジュール及び無線サーバーモジュールは装飾筐の納置空間に設置し、該電源モジュールは電源制御ユニット、蓄電ユニット及び出力ユニットを設置する。電源制御ユニットはそれぞれ蓄電ユニット及び出力ユニットを連結し、並びに該無線サーバーモジュールは該電源制御ユニットを連結し、該無線サーバーモジュールは第一伝送ユニット及び第一転換ユニットを設置し、且つ第一伝送ユニットは第一転換ユニットを連結し、第一転換ユニットは電源制御ユニットを連結する。
【００１１】
本考案は、装飾筐を可愛い造形玩具に成形する。使用前は無線充電板上に設置する。第一伝送ユニットによって無線で電力を入力し、電力を蓄電ユニットに貯めておき、携帯時に電子部品に電気を供給する。
【実施例１】
【００１２】
本考案の特徴について、図式を提示しながら実施例を挙げて詳細に説明する。
【００１３】
図１は本考案の構造ブロックダイアグラムで、本考案のモバイル電源の玩具は、少なくとも以下を含む。
【００１４】
該装飾筐１１は、納置空間を備えた筐体である。
【００１５】
該電源モジュール１２は、装飾筐１１の納置空間に納置し、該電源モジュール１２は電源制御ユニット１２１、蓄電ユニット１２２及び出力ユニット１２３を設置し、且つ電源制御ユニット１２１は、それぞれ蓄電ユニット１２２及び出力ユニット１２３を連結する。
【００１６】
該無線サーバーモジュール１３は、装飾筐１１に設置し、該電源制御ユニット１２１を連結し、また該無線サーバーモジュール１３は第一伝送ユニット１３１及び第一転換ユニット１３２を設置し、且つ第一伝送ユニット１３１は第一転換ユニット１３２を連結し、第一転換ユニット１３２で電源制御ユニット１２１を連結する。
【００１７】
実際に実施する場合、本考案の第一実施例を用い、図２から図５に示すとおりである。本考案の玩具１０は、電子部品２０に対して充電及び電力供給を行い、主に電子部品２０に該装飾筐１１を連結する。つまり、電源モジュール１２によって隨時電子部品２０に充電、電力供給使用を行う。使用時、該装飾筐１１は、蓄電ユニット１２２が蓄えた電力を、電源制御ユニット１２１を経て出力ユニット１２３から伝送し、出力ユニット１２３は出力インターフェイス１２４を設置し、出力インターフェイス１２４を通して電子部品２０を連結して電力を受け取る。当然、出力インターフェイス１２４はUSB出力インターフェイス、もしくは直流コンセント(DC Jack)（図未提示）でもよく、有線方式で電力を出力する。また、玩具は隨時電子部品２０に対して充電、電力供給使用し、装飾筐１１は可愛い造形玩具の形状にすることで、外出時に携帯して随時電子部品２０に充電、電力供給使用するのに便利であり、本考案の玩具１０のようなアオガエルの造形、もしくは動物形状玩具もしくは任意の形状にすることで使用の楽しみが高まる。
【００１８】
更に、電子部品２０は３C電子産品でもよく、例として携帯電話、タブレットパソコン、PDA、ノートパソコン、MP３等電子部品とする。
【００１９】
更に、該装飾筐は少なくとも発光ダイオード１１１を設置し、該発光ダイオード１１１は電力シグナルライトとする。該発光ダイオード１１１は電源制御ユニット１２１に連結し、電源モジュール１２の電力残量は、該電源制御ユニット１２１によって制御し、該発光ダイオード１１１が発光表示する。電源モジュール１２に電力が残存する時には発光ダイオード１１１は緑色であり、電源モジュール１２電量がなくなった時には、発光ダイオード１１１は赤色に変わってユーザーに知らせる。
【実施例２】
【００２０】
本考案の第二実施例は、図６及び図７に示すとおりである。本考案の玩具１０は、無線充電板３０から出力された電力によって適時電力が補充され、無線サーバーモジュール１３によって無線充電板３０から出力された電力を連結し、更に電源モジュール１２が電力を保存して蓄電する。操作時、装飾筐１１を板体の無線充電板３０上に近づけるか、もしくは置くだけでよい。該無線充電板３０は電力入力ユニット３１によって伝送コード３１１から商用電源に連結し、商用電源の交流電気は、第二転換ユニット３２によって転換され、交流電気が電磁波に転換される。第二伝送ユニット３３によって電磁波を無線伝送し、第一伝送ユニット１３１によって受信する。受信した電磁波は再び第一転換ユニット１３２によって転換して直流電気となり、電源制御ユニット１２１によって直流電流を蓄電ユニット１２２に入れて蓄電する。
【００２１】
その他、玩具１０と無線充電板３０間の電力伝送は、コイルで誘導し伝送する。そのうち該第一伝送ユニット１３１は誘導コイルとし、第二伝送ユニット３３は主動コイルとする。主に該誘導コイルは無線充電板を誘導して電磁波の内部の主動コイル極性を提供し、該誘導コイルの電磁性を該主動コイルに合わせる。即ち電磁波を感知することに拠って、共振起電力エネルギーを蓄電ユニット１２２の電気エネルギーに転換し、蓄電ユニット１２２の電力に対して補充する。
【００２２】
更に、図７に示すとおり、該装飾筐１１は開口１１２を設置し、且つ該無線サーバーモジュール１３は該開口１１２に隣接する。また該開口１１２は該無線充電板３０を隣接し、該開口１１は誘導コイル間の主動コイルをブロックなしの電磁を受ける。更に誘導コイルと主動コイルの間の電磁性吸収率を増強し、発した電磁波が媒介を伝導して減らし、エネルギー減衰も相互にコントロールして、エネルギー転換率を高める。
【符号の説明】
【００２３】
１０      玩具
１１      装飾筐
１１１    発光ダイオード
１１２    開口
１２      電源モジュール
１２１    電源制御ユニット
１２２    蓄電ユニット
１２３    出力ユニット
１２４    出力インターフェイス
１３      無線サーバーモジュール
１３１    第一伝送ユニット
１３２    第一転換ユニット
２０      電子部品
３０      無線充電板
３１      電力入力ユニット
３１１    伝送コード
３２      第二転換ユニット
３３      第二伝送ユニット
【図１】
0003191582.tif 000003
【図２】
0003191582.tif 000004
【図３】
0003191582.tif 000005
【図４】
0003191582.tif 000006
【図５】
0003191582.tif 000007
【図６】
0003191582.tif 000008
【図７】
0003191582.tif 000009
【手続補正書】
【提出日】平成26年5月7日(2014.5.7)
【手続補正１】
【補正対象書類名】実用新案登録請求の範囲
【補正対象項目名】請求項１
【補正方法】変更
【補正の内容】
【請求項１】
モバイル電源の玩具において、少なくとも、
納置空間を備えた筐体である装飾筐と、 
上記装飾筐の納置空間に設置し、電源制御ユニット、蓄電ユニット及び出力ユニットを設
置し、且つ上記電源制御ユニットはそれぞれ蓄電ユニット及び出力ユニットを連結する電
源モジュールと、
上記装飾筐に設置し、上記電源制御ユニットを連結し、無線サーバーモジュールは第
一伝送ユニット及び第一転換ユニットを設置し、且つ上記第一伝送ユニットは第一転換ユ
ニットを連結し、第一転換ユニットによって電源制御ユニットを連結する無線サーバーモ
ジュールを含むことを特徴とするモバイル電源の玩具。
【手続補正２】
【補正対象書類名】図面
【補正対象項目名】図５
【補正方法】変更
【補正の内容】
【図５】
0003191582.tif 000010